(57)【要約】【課題】誤操作を防止するディスプレイインタフェース制御方法、装置及び端末を提供する。【解決手段】本発明に係わる誤操作を防止するディスプレイインタフェース制御方法は、タッチディスプレイスクリーンの第一表示部と第二表示部との間の折り曲げ角度を検出するステップ１０１と、其の中において、前記第二表示部は折り曲げ表示部によって前記第一表示部にフレキシブルに接続され、且つ前記第一表示部に対して折り畳まれるか又は展開されることができ、前記折り曲げ角度が予め設定された角度より大きいか否かを判断するステップ１０２と、もし前記折り曲げ角度が予め設定された角度より大きいと、前記タッチディスプレイスクリーンを制御して、前記折り曲げ表示部及び前記第二表示部のタッチ機能をオフにするステップ１０３と、を備える。前記誤操作を防止するディスプレイインタフェース制御方法は、端末が折畳まれた場合に誤操作されることを効果的に防止することができる。【選択図】図１
2019516187.tif 000002
【特許請求の範囲】
【請求項１】
誤操作を防止するディスプレイインタフェース制御方法であって、前記方法は、
タッチディスプレイスクリーンの第一表示部と第二表示部との間の折り曲げ角度を検出するステップと、
前記折り曲げ角度が予め設定された角度より大きいか否かを判断するステップと、
前記折り曲げ角度が予め設定された角度より大きい場合、前記タッチディスプレイスクリーンを制御して、前記折り曲げ表示部及び前記第二表示部のタッチ機能をオフにするステップと、
を備え、
前記第二表示部は折り曲げ表示部によって前記第一表示部にフレキシブルに接続され、且つ前記第一表示部に対して折り畳まれるか又は展開されることができることを特徴とする方法。
【請求項２】
前記タッチディスプレイスクリーンの第一表示部と第二表示部との間の折り曲げ角度を検出するステップは、
基準表示平面に対する前記第一表示部の第一角度を検出するステップと、
前記基準表示平面に対する前記第二表示部の第二角度を検出するステップと、
前記第一角度と前記第二角度に基づいて、前記第一表示部と前記第二表示部との間の折り曲げ角度を計算するステップと、
を備え、
前記基準表示平面は、前記タッチディスプレイスクリーンが展開状態にある時、前記タッチディスプレイスクリーンの所在平面である、ことを特徴とする請求項１に記載の方法。
【請求項３】
前記第一表示部と前記第二表示部との間の折り曲げ角度は、前記第一角度と前記第二角度の和と等しいことを特徴とする請求項２に記載の方法。
【請求項４】
前記タッチディスプレイスクリーンの第一表示部と第二表示部との間の折り曲げ角度を検出するステップは、
前記第一表示部と前記第二表示部との間の夾角を検出するステップと、
前記夾角に基づいて、前記第一表示部と前記第二表示部との間の折り曲げ角度を計算するステップと、
を備えることを特徴とする請求項１に記載の方法。
【請求項５】
前記第一表示部と前記第二表示部との間の折り曲げ角度は、１８０度から前記第一表示部と前記第二表示部との間の夾角を引いたものと等しいことを特徴とする請求項４に記載の方法。
【請求項６】
前記方法は、
前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにするステップをさらに備えることを特徴とする請求項１〜５のいずれか一項に記載の方法。
【請求項７】
誤操作を防止するディスプレイインタフェース制御装置であって、前記装置は、
タッチディスプレイスクリーンの第一表示部と第二表示部との間の折り曲角度を検出するために用いられる角度検出ユニットと、
前記折り曲げ角度が予め設定された角度より大きいか否かを判断するために用いられる角度判断ユニットと、
前記折り曲げ角度が予め設定された角度より大きい場合、前記タッチディスプレイスクリーンを制御して、前記折り曲げ表示部及び前記第二表示部のタッチ機能をオフにするために用いられるタッチ管理ユニットと、
を備え、
前記第二表示部は折り曲げ表示部によって前記第一表示部にフレキシブルに接続され、且つ前記第一表示部に対して折り畳まれるか又は展開されることができることを特徴とする装置。
【請求項８】
前記検出ユニットは、
基準表示平面に対する前記第一表示部の第一角度を検出するために用いられる第一検出サブユニットと、
基準表示平面に対する前記第二表示部の第二角度を検出するために用いられる第二検出サブユニットと、
前記第一角度と前記第二角度に基づいて、前記第一表示部と前記第二表示部との間の折り曲げ角度を計算するために用いられる角度計算サブユニットと、
を備え、
前記基準表示平面は前記タッチディスプレイスクリーンが展開状態にある時、前記タッチディスプレイスクリーンの所在平面であることを特徴とする請求項７に記載の装置。
【請求項９】
前記検出ユニットは、
前記第一表示部と前記第二表示部との間の夾角を検出するために用いられる夾角検出サブユニットと、
前記夾角に基づいて、前記第一表示部と前記第二表示部との間の折り曲げ角度を計算する角度計算サブユニットと、
を備えることを特徴とする請求項７に記載の装置。
【請求項１０】
前記装置は、
前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにする表示管理ユニットをさらに備えることを特徴とする請求項７〜９のいずれか一項に記載の装置。
【請求項１１】
端末であって、
タッチディスプレイスクリーンを備え、前記タッチディスプレイスクリーンは、第一表示部、第二表示部及び折り曲げ表示部を備え、前記第二表示部は折り曲げ表示部によって前記第一表示部にフレキシブルに接続され、且つ前記第一表示部に対して折り畳まれるか又は展開されることができ、
前記端末は、プロセッサー及び少なくとも１つの角度センサーをさらに備え、前記プロセッサーは、少なくとも１つの前記角度センサー及び前記タッチディスプレイスクリーンに電気的に接続され、
少なくとも１つの前記角度センサーは、前記第一表示部と前記第二表示部との間の折り曲げ角度を検出するために用いられ、
前記プロセッサーは、前記折り曲げ角度が予め設定された角度より大きいか否かを判断するために用いられ、前記折り曲げ角度が予め設定された角度より大きい場合、前記タッチディスプレイスクリーンを制御して、前記折り曲げ表示部及び前記第二表示部のタッチ機能をオフにする、
ことを特徴とする端末。
【請求項１２】
前記端末は第一角度センサー及び第二角度センサーを備え、
前記第一角度センサーは、前記端末における前記第一表示部に対応する一側に設置されて、基準表示平面に対する前記第一表示部の第一角度を検出するために用いられ、前記基準表示平面は、前記タッチディスプレイスクリーンが展開状態にある時、前記タッチディスプレイスクリーンの所在平面であり、
前記第二角度センサーは、前記端末における前記第二表示部に対応する一側に設置されて、前記基準表示平面に対する前記第二表示部の第二角度を検出するために用いられ、
前記プロセッサーは、前記第一角度と前記第二角度に基づいて、前記第一表示部と前記第二表示部との間の折り曲げ角度を計算するためにも用いられる、
ことを特徴とする請求項１１に記載の端末。
【請求項１３】
前記角度センサーは、前記端末における前記第一表示部又は前記第二表示部に対応する一側に設置されて、前記第一表示部と前記第二表示部との間の夾角を検出するために用いられ、
前記プロセッサーは、前記夾角に基づいて、前記第一表示部と前記第二表示部との間の折り曲げ角度を計算するためにも用いられる、
ことを特徴とする請求項１１に記載の端末。
【請求項１４】
前記プロセッサーは、前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにするためにも用いられることを特徴とする請求項１１〜１３のいずれか一項に記載の端末。
【発明の詳細な説明】
【技術分野】
【０００１】
本発明は、フレキシブルディスプレイ技術分野に関するものであり、特に、誤操作を防止するディスプレイインタフェース制御方法、装置及び端末に関するものである。
【背景技術】
【０００２】
フレキシブルディスプレイ技術の継続的な成熟に伴い、携帯電話、スマートウォッチ、タブレットコンピュータなどのポータブルユーザ端末により広い設計空間を提供する。フレキシブルディスプレイスクリーンを応用することにより、上述したユーザ端末は曲面ディスプレイスクリーン、折り畳み可能なディスプレイスクリーンなどの設計を実現することができ、従ってより大きな表示面積を実現するとともに、ユーザ端末の携帯性も考慮する。しかし、折り畳み可能なディスプレイスクリーンを有するユーザ端末に対して、ディスプレイスクリーンが折り畳み状態にある場合、ディスプレイスクリーンにおける端末の側面に位置する折り曲げ部と端末の背面に位置する部分が通常の表示及びタッチ機能を維持し続けると、ユーザが端末を把持している時に、端末の側面及び背面の位置に触れることは避けられないので、端末の誤操作を招き易く、且つ端末の消費電力も増加する。
【発明の概要】
【０００３】
本発明の実施形態は誤操作を防止するディスプレイインタフェース制御方法、装置及び端末を提供して、従来の技術における折り畳み可能な端末のタッチディスプレイスクリーンが折り畳み状態にある場合に誤操作を招き易い問題を解決し、ユーザ操作体験を向上し、且つ端末の消費電力を低減する。
【０００４】
本発明に係わる誤操作を防止するディスプレイインタフェース制御方法は、
タッチディスプレイスクリーンの第一表示部と第二表示部との間の折り曲げ角度を検出するステップと、
前記折り曲げ角度が予め設定された角度より大きいか否かを判断するステップと、
前記折り曲げ角度が予め設定された角度より大きい場合、前記タッチディスプレイスクリーンを制御して、前記折り曲げ表示部及び前記第二表示部のタッチ機能をオフにするステップと、
を備え、
前記第二表示部は折り曲げ表示部によって前記第一表示部にフレキシブルに接続され、且つ前記第一表示部に対して折り畳まれるか又は展開されることができる。
【０００５】
その中において、前記タッチディスプレイスクリーンの第一表示部と第二表示部との間の折り曲げ角度を検出するステップは、
基準表示平面に対する前記第一表示部の第一角度を検出するステップと、
前記基準表示平面に対する前記第二表示部の第二角度を検出するステップと、
前記第一角度と前記第二角度に基づいて、前記第一表示部と前記第二表示部との間の折り曲げ角度を計算するステップと、
を備え、
前記基準表示平面は、前記タッチディスプレイスクリーンが展開状態にある時、前記タッチディスプレイスクリーンの所在平面である。
【０００６】
その中において、前記第一表示部と前記第二表示部との間の折り曲げ角度は、前記第一角度と前記第二角度の和と等しい。
【０００７】
その中において、前記タッチディスプレイスクリーンの第一表示部と第二表示部との間の折り曲げ角度を検出するステップは、
前記第一表示部と前記第二表示部との間の夾角を検出するステップと、
前記夾角に基づいて、前記第一表示部と前記第二表示部との間の折り曲げ角度を計算するステップと、
を備える。
【０００８】
その中において、前記第一表示部と前記第二表示部との間の折り曲げ角度は、１８０度から前記第一表示部と前記第二表示部との間の夾角を引いたものと等しい。
【０００９】
その中において、前記方法は、
前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにするステップをさらに備える。
【００１０】
本発明に係わる誤操作を防止するディスプレイインタフェース制御装置は、
タッチディスプレイスクリーンの第一表示部と第二表示部との間の折り曲角度を検出するために用いられる角度検出ユニットと、
前記折り曲げ角度が予め設定された角度より大きいか否かを判断するために用いられる角度判断ユニットと、
前記折り曲げ角度が予め設定された角度より大きい場合、前記タッチディスプレイスクリーンを制御して、前記折り曲げ表示部及び前記第二表示部のタッチ機能をオフにするために用いられるタッチ管理ユニットと、
を備え、
前記第二表示部は折り曲げ表示部によって前記第一表示部にフレキシブルに接続され、且つ前記第一表示部に対して折り畳まれるか又は展開されることができる。
【００１１】
その中において、前記検出ユニットは、
基準表示平面に対する前記第一表示部の第一角度を検出するために用いられる第一検出サブユニットと、
基準表示平面に対する前記第二表示部の第二角度を検出するために用いられる第二検出サブユニットと、
前記第一角度と前記第二角度に基づいて、前記第一表示部と前記第二表示部との間の折り曲げ角度を計算するために用いられる角度計算サブユニットと、
を備え、
前記基準表示平面は前記タッチディスプレイスクリーンが展開状態にある時、前記タッチディスプレイスクリーンの所在平面である。
【００１２】
その中において、前記検出ユニットは、
前記第一表示部と前記第二表示部との間の夾角を検出するために用いられる夾角検出サブユニットと、
前記夾角に基づいて、前記第一表示部と前記第二表示部との間の折り曲げ角度を計算する角度計算サブユニットと、
を備える。
【００１３】
その中において、前記装置は、
前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにする表示管理ユニットをさらに備える。
【００１４】
本発明に係わる端末はタッチディスプレイスクリーンを備え、前記タッチディスプレイスクリーンは、第一表示部、第二表示部及び折り曲げ表示部を備え、前記第二表示部は前記折り曲げ表示部によって前記第一表示部にフレキシブルに接続され、且つ前記第一表示部に対して折り畳まれるか又は展開されることができ、
前記端末は、プロセッサー及び少なくとも１つの角度センサーをさらに備え、前記プロセッサーは、少なくとも１つの前記角度センサー及び前記タッチディスプレイスクリーンに電気的に接続され、
少なくとも１つの前記角度センサーは、前記第一表示部と前記第二表示部との間の折り曲げ角度を検出するために用いられ、
前記プロセッサーは、前記折り曲げ角度が予め設定された角度より大きいか否かを判断するために用いられ、前記折り曲げ角度が予め設定された角度より大きい場合、前記タッチディスプレイスクリーンを制御して、前記折り曲げ表示部及び前記第二表示部のタッチ機能をオフにする。
【００１５】
その中において、前記端末は第一角度センサー及び第二角度センサーを備え、
前記第一角度センサーは、前記端末における前記第一表示部に対応する一側に設置されて、基準表示平面に対する前記第一表示部の第一角度を検出するために用いられ、前記基準表示平面は、前記タッチディスプレイスクリーンが展開状態にある時、前記タッチディスプレイスクリーンの所在平面であり、
前記第二角度センサーは、前記端末における前記第二表示部に対応する一側に設置されて、前記基準表示平面に対する前記第二表示部の第二角度を検出するために用いられ、
前記プロセッサーは、前記第一角度と前記第二角度に基づいて、前記第一表示部と前記第二表示部との間の折り曲げ角度を計算するためにも用いられる。
【００１６】
その中において、前記角度センサーは、前記端末における前記第一表示部又は前記第二表示部に対応する一側に設置されて、前記第一表示部と前記第二表示部との間の夾角を検出するために用いられ、
前記プロセッサーは、前記夾角に基づいて、前記第一表示部と前記第二表示部との間の折り曲げ角度を計算するためにも用いられる。
【００１７】
その中において、前記プロセッサーは、前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにするためにも用いられる。
【００１８】
本発明に係わる誤操作を防止するディスプレイインタフェース制御方法は、タッチディスプレイスクリーンの第一表示部と第二表示部との間の折り曲げ角度を検出し、前記折り曲げ角度が予め設定された角度よりも大きい場合、前記タッチディスプレイスクリーンを制御して、前記折り曲げ表示部及び前記第二表示部のタッチ機能をオフにすることにより、前記タッチディスプレイスクリーンが折り畳み状態にある場合、前記折り曲げ表示部と前記第二表示部がユーザの把持手と必然的に接触して招く誤操作を防止することができ、タッチディスプレイスクリーンが折り畳まれた状態で前記端末を正常に把持して操作できることを確保して、ユーザ体験を向上するとともに、前記端末の消費電力を低減することができる。
【図面の簡単な説明】
【００１９】
以下、本発明の実施形態に係る技術的方案をより明確に説明するために、本発明の実施形態に使用される図面について簡単に説明する。
【図１】図１は、本発明の実施形態に係わる誤操作を防止するディスプレイインタフェース制御方法の第一フローチャートである。
【図２】図２は、本発明の実施形態に係わる誤操作を防止するディスプレイインタフェース制御方法の第一使用場景を示す図である。
【図３】図３は、本発明の実施形態に係わる誤操作を防止するディスプレイインタフェース制御方法の第二使用場景を示す図である。
【図４】図４は、本発明の実施形態に係わる誤操作を防止するディスプレイインタフェース制御方法の第二フローチャートである。
【図５】図５は、本発明の実施形態に係わる誤操作を防止するディスプレイインタフェース制御方法の第三使用場景を示す図である。
【図６】図６は、本発明の実施形態に係わる誤操作を防止するディスプレイインタフェース制御方法の第三フローチャートである。
【図７】図７は、本発明の実施形態に係わる誤操作を防止するディスプレイインタフェース制御装置の第一構造概略図である。
【図８】図８は、本発明の実施形態に係わる誤操作を防止するディスプレイインタフェース制御装置の第二構造概略図である。
【図９】図９は、本発明の実施形態に係わる端末の第一構造概略図である。
【図１０】図１０は、本発明の実施形態に係わる端末の第二構造概略図である。
【発明を実施するための形態】
【００２０】
以下に、本発明の実施形態の添付の図面を参照しながら、本発明の実施形態の技術的手段を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００２１】
図１を参照すると、本発明の一つの実施形態において、誤操作を防止するディスプレイインタフェース制御方法が提供され、以下のステップを備える。
ステップ１０１：タッチディスプレイスクリーンの第一表示部と第二表示部との間の折り曲げ角度を検出する。
ステップ１０２：前記折り曲げ角度が予め設定された角度より大きいか否かを判断する。
ステップ１０３：前記折り曲げ角度が予め設定された角度より大きい場合、前記タッチディスプレイスクリーンを制御して、前記折り曲げ表示部及び前記第二表示部のタッチ機能をオフにする。
その中において、前記第二表示部は折り曲げ表示部によって前記第一表示部にフレキシブルに接続され、且つ前記第一表示部に対して折り畳まれるか又は展開されることができる。
【００２２】
図２を参照すると、図２は本発明の実施形態に係わる誤操作を防止するディスプレイインタフェース制御方法の第一使用場景を示す図である。その中において、２０は折り畳むことができる端末であり、例えば、携帯電話、タブレットコンピュータなどである。２１は、前記端末のタッチディスプレイスクリーンであり、第一表示部２１１、第二表示部２１３及び折り曲げ表示部２１５を備える。前記第二表示部２１３は折り曲げ表示部２１５によって前記第一表示部２１１にフレキシブルに接続され、且つ前記第一表示部２１１に対して折り畳まれるか又は展開されることができる。２３は、前記タッチディスプレイスクリーン２１に表示される内容であり、例えば、２３はアプリケーションアイコンであることができる。２５は、前記端末の主ボタンであり、例えば、指紋識別機能を有するＨＯＭＥボタンである。図２は、前記端末２０の前記第二表示部２１３が前記第一表示部２１１に対して展開された状態を示している。前記タッチディスプレイスクリーン２１が展開された場合、前記第一表示部２１１、第二表示部２１３及び折り曲げ表示部２１５は、同じ表示平面に位置する。前記折り曲げ表示部２１５はフレキシブルタッチディスプレイスクリーンであり、前記第一表示部２１１及び前記第二表示部２１３はフレキシブルタッチディスプレイスクリーン又はハードタッチディスプレイスクリーンであるので、前記第二表示部２１３と前記第一表示部２１１との間のフレキシブル接続を実現し、且つ前記第二表示部２１３は前記第一表示部２１１に対して折り畳まれるか又は展開されることができると理解されるべきである。
【００２３】
図３を参照すると、図３は本発明の実施形態に係わる誤操作を防止するディスプレイインタフェース制御方法の第二使用場景を示す図である。この使用場景では、前記第二表示部２１３は前記第一表示部２１１に対して折り畳まれた状態にある。前記端末２０における前記第一表示部２１１の反対側の表面と前記端末２０における前記第二表示部２１３の反対側の表面はお互いに重ね、即ち前記第二表示部２１３と前記第一表示部２１１は背中合わせに設置される。これとともに、前記折り曲げ表示部２１５は、折り畳まれた状態で前記端末２０の１つの側辺を形成する。前記端末２０が折り畳まれた状態で、ユーザが前記端末２０を把持して操作すると、前記第二表示部２１３及び前記折り曲げ表示部２１５がユーザの手指と必然的に接触して、前記第二表示部２１３及び前記折り曲げ表示部２１５に表示される内容が誤操作される可能性があることを理解されるべきである。だから、本実施形態において、前記第一表示部２１１と前記第二表示部２１３との間の折り曲げ角度を検出して、前記折り曲げ角度が予め設定された角度（例えば、３０度である）より大きい場合、前記タッチディスプレイスクリーン２１を制御して、前記折り曲げ表示部２１５及び前記第二表示部２１３のタッチ機能をオフすることにより、折り畳まれた状態で前記端末２０を使用する場合、前記第二表示部２１３及び前記折り曲げ表示部２１５がユーザの手指と接触して招く誤操作を効果的に防止することができ、折り畳まれた状態で前記端末２０を正常に把持して操作できることを確保して、ユーザ体験を向上するとともに、前記端末２０の消費電力を低減することができる。
【００２４】
図４を参照すると、１つの実施形態において、タッチディスプレイスクリーンの第一表示部と第二表示部との間の折り曲げ角度を検出するステップは、以下のステップを備える。
ステップ４０１：基準表示平面に対する前記第一表示部の第一角度を検出する。
ステップ４０２：基準表示平面に対する前記第二表示部の第二角度を検出する。
ステップ４０３：前記第一角度と前記第二角度に基づいて、前記第一表示部と前記第二表示部との間の折り曲げ角度を計算する。
その中において、前記基準表示平面は、前記タッチディスプレイスクリーンが展開状態にある時、前記タッチディスプレイスクリーンの所在平面である。
【００２５】
図５を参照すると、図５は本発明の実施形態に係わる誤操作を防止するディスプレイインタフェース制御方法の第三使用場景を示す図である。この使用場景において、前記端末２０のタッチディスプレイスクリーン２１は展開状態と折畳み状態との間の中間状態にある。その中において、２１０は、前記タッチディスプレイスクリーン２１が展開状態にある時、前記タッチディスプレイスクリーン２１の所在平面であり、即ち基準表示平面である。Ａ１は、前記第一表示部２１１と前記基準表示平面２１０との間に形成された第一角度である。Ａ２は、前記第二表示部２１３と前記基準表示平面２１０との間に形成された第二角度である。本実施形態において、前記第一表示部２１１と前記第二表示部２１３との間の折り曲げ角度は、前記第一角度Ａ１と前記第二角度Ａ２の和と等しい。予め設定された角度が３０度であると仮定すると、前記第一角度Ａ１と前記第二角度Ａ２の和が３０度より大きいと、前記端末２０を展開状態から折畳み状態に切り替えることを示し、前記タッチディスプレイスクリーン２１を制御して、前記第二表示部２１３及び前記折り曲げ表示部２１５のタッチ機能をオフすることにより、前記第二表示部２１３及び前記折り曲げ表示部２１５に表示される内容が折畳み状態で誤操作されることを防止する。
【００２６】
図６を参照すると、１つの実施形態において、タッチディスプレイスクリーンの第一表示部と第二表示部との間の折り曲げ角度を検出するステップは、以下のステップを備える。
ステップ６０１：前記第一表示部と前記第二表示部との間の夾角を検出する。
ステップ６０２：前記夾角に基づいて、前記第一表示部と前記第二表示部との間の折り曲げ角度を計算する。
【００２７】
再び図５を参照すると、その中において、Ａ３は前記第一表示部２１１と前記第二表示部２１３との間の夾角である。前記夾角Ａ３と前記第一角度Ａ１及び前記第一角度Ａ２との和は１８０度であるので、前記夾角Ａ３を検出することにより、前記夾角Ａ３に基づいて、前記第一表示部２１１と前記第二表示部２１３との間の折り曲げ角度を計算することができる。本実施形態において、前記第一表示部２１１と前記第二表示部２１３との間の折り曲げ角度は、１８０度から前記第一表示部２１１と前記第二表示部２１３との間の夾角Ａ３を引いたものと等しい。選択可能な実施形態において、前記第一表示部２１１と前記第二表示部２１３との間の夾角Ａ３が予め設定された角度より小さいか否かを判断することにより、前記第二表示部２１３及び前記折り曲げ表示部２１５のタッチ機能を直接に制御することもできると理解されるべきである。例えば、前記第一表示部２１１と前記第二表示部２１３との間の夾角Ａ３が１５０度未満であると、前記端末２０を展開状態から折り畳み状態に切り替えることを示し、前記タッチディスプレイスクリーン２１を制御して、前記第二表示部２１３及び前記折り曲げ表示部２１５のタッチ機能をオフすることにより、前記第二表示部２１３及び前記折り曲げ表示部２１５に表示される内容が折畳み状態で誤操作されることを防止する。
【００２８】
１つの実施形態において、前記方法は、さらに以下のステップを備える。
前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにする。
【００２９】
再び図３を参照すると、前記端末２０のタッチディスプレイスクリーン２１が折り畳み状態にある場合、現在前記第一表示部２１１に表示されている内容に加えて、一部分の内容は前記第二表示部２１３及び前記折り曲げ表示部２１５に表示されることをユーザに注意するために、前記折り曲げ角度が予め設定された角度よりも大きい場合、前記折り曲げ表示部２１５の表示内容を制御して、前記折り曲げ表示部２１５における前記第一表示部２１１に接続される一側から前記折り曲げ表示部２１５における前記第二表示部２１３に接続される他側に向かってグラデーション表示することができ、図３に示された陰影部分のように、一部分の内容は前記折り曲げ表示部２１５及び前記第二表示部２１３に表示されることをユーザに注意する。
【００３０】
前記端末２０のタッチディスプレイスクリーン２１が折り畳み状態にある場合、前記第二表示部２１３及び前記折り曲げ表示部２１５のタッチ機能はオフされているので、前記第二表示部２１３及び前記折り曲げ表示部２１５に表示される内容（例えば、アプリケーションアイコン２３）を正常に操作させるために、前記第一表示部２１１上のユーザのタッチ命令（例えば、左にスライドする）を受け付けることにより、前記折り曲げ表示部２１５及び前記第二表示部２１３の表示内容を前記第一表示部２１１に移動して、ユーザは第一表示部２１１を介して前記内容を操作することができると理解されるべきである。  
【００３１】
前記端末２０の消費電力を低減するために、前記タッチディスプレイスクリーン２１が折り畳み状態にある場合、前記折り曲げ表示部２１５の表示内容をグラデーション表示するように制御することができると理解されるべきである。例えば、前記折り曲げ表示部２１５における前記第一表示部２１１に接続される一側から前記折り曲げ表示部２１５における前記第二表示部２１３に接続される他側に向かって徐々に暗くなる。同時に、第二表示部２１３の表示機能をオフにすることができる。前記第二表示部２１３の表示機能をオフにすることは、前記第一表示部２１１で左にスライドする動作でもとは第二表示部２１３に表示される内容を呼び出すことに影響しないことは理解されるべきである。
【００３２】
図７を参照すると、本発明の１つの実施形態で提供される誤操作を防止するディスプレイインタフェース制御装置７０は、
タッチディスプレイスクリーンの第一表示部と第二表示部との間の折り曲げ角度を検出するために用いられる角度検出ユニット７１と、
前記折り曲げ角度が予め設定された角度より大きいか否かを判断するために用いられる角度判断ユニット７３と、
前記折り曲げ角度が予め設定された角度より大きい場合、前記タッチディスプレイスクリーンを制御して、前記折り曲げ表示部及び前記第二表示部のタッチ機能をオフにするために用いられるタッチ管理ユニット７５と、
を備え、
前記第二表示部は折り曲げ表示部によって前記第一表示部にフレキシブルに接続され、且つ前記第一表示部に対して折り畳まれるか又は展開されることができる。
【００３３】
１つの実施形態において、前記検出ユニット７１は、
基準表示平面に対する前記第一表示部の第一角度を検出するために用いられる第一検出サブユニット７１１と、
基準表示平面に対する前記第二表示部の第二角度を検出するために用いられる第二検出サブユニット７１３と、
前記第一角度と前記第二角度に基づいて、前記第一表示部と前記第二表示部との間の折り曲げ角度を計算するために用いられる角度計算サブユニット７１５と、
を備え、
前記基準表示平面は前記タッチディスプレイスクリーンが展開状態にある時、前記タッチディスプレイスクリーンの所在平面である。
【００３４】
その中において、前記第一表示部と前記第二表示部との間の折り曲げ角度は、前記第一角度と前記第二角度の和と等しい。
【００３５】
１つの実施形態において、前記装置７０は、前記折り曲げ角度が予め設定された角度よりも大きい場合、前記折り曲げ表示部の表示内容を制御して、前記折り曲げ表示部における前記第一表示部に接続される一側から前記第二表示部に接続される他側に向かってグラデーション表示することにする表示管理ユニット７７をさらに備える。
【００３６】
図８を参照すると、１つの実施形態では、誤操作を防止するディスプレイインタフェース制御装置７０’が提供され、これは図７に示された誤操作を防止するディスプレイインタフェース制御装置７０に比べて、唯一な相違点は、前記ディスプレイインタフェース制御装置７０’の検出ユニット７１’は、
前記第一表示部と前記第二表示部との間の夾角を検出するために用いられる夾角検出サブユニット７１２と、
前記夾角に基づいて、前記第一表示部と前記第二表示部との間の折り曲げ角度を計算するために用いられる角度計算サブユニット７１５と、  
を備えることである。
【００３７】
その中において、前記第一表示部と前記第二表示部との間の折り曲げ角度は、１８０度から前記第一表示部と前記第二表示部との間の夾角を引いたものと等しい。
【００３８】
前記誤操作を防止するディスプレイインタフェース制御装置７０、７０’の各々のユニットの機能及び具体的な実現は、本発明の図１〜図６に示された方法の実施形態の関連する説明を参照することができるので、ここでは詳細な説明を省略することは理解されるべきである。
【００３９】
図９を参照すると、本発明の１つの実施形態で提供される端末９０は、タッチディスプレイスクリーン９１を備える。前記タッチディスプレイスクリーン９１は、第一表示部９１１、第二表示部９１３及び折り曲げ表示部９１５を備え、前記第二表示部９１３は折り曲げ表示部９１５によって前記第一表示部９１１にフレキシブルに接続され、且つ前記第一表示部９１１に対して折り畳まれるか又は展開されることができる。
【００４０】
前記端末９０は、プロセッサー９３及び少なくとも１つの角度センサー９５をさらに備える。前記プロセッサー９３は、少なくとも１つの前記角度センサー９５及び前記タッチディスプレイスクリーン９１に電気的に接続される。
【００４１】
少なくとも１つの前記角度センサー９５は、前記第一表示部９１１と前記第二表示部９１３との間の折り曲げ角度を検出するために用いられる。
【００４２】
前記プロセッサー９３は、前記折り曲げ角度が予め設定された角度より大きいか否かを判断するために用いられ、前記折り曲げ角度が予め設定された角度より大きい場合、前記タッチディスプレイスクリーン９１を制御して、前記折り曲げ表示部９１５及び前記第二表示部９１３のタッチ機能をオフにする。
【００４３】
１つの実施形態において、前記端末９０は第一角度センサー９５１及び第二角度センサー９５３を備える。
【００４４】
前記第一角度センサー９５１は、前記端末９０における前記第一表示部９１１に対応される一側に設置されて、基準表示平面に対する前記第一表示部９１１の第一角度を検出するために用いられる。その中において、前記基準表示平面は前記タッチディスプレイスクリーン９１が展開状態にある時、前記タッチディスプレイスクリーン９１の所在平面である。
【００４５】
前記第二角度センサー９５２は、前記端末９０における前記第二表示部９１３に対応される一側に設置されて、前記基準表示平面に対する前記第二表示部９１３の第二角度を検出するために用いられる。
【００４６】
前記プロセッサー９３は、前記第一角度と前記第二角度に基づいて、前記第一表示部９１１と前記第二表示部９１３との間の折り曲げ角度を計算するためにも用いられる。
【００４７】
その中において、前記第一表示部９１１と前記第二表示部９１３との間の折り曲げ角度は、前記第一角度と前記第二角度の和と等しい。
【００４８】
１つの実施形態において、前記プロセッサー９３は、前記折り曲げ角度が予め設定された角度よりも大きい場合、前記折り曲げ表示部９１５の表示内容を制御して、前記折り曲げ表示部９１５における前記第一表示部９１１に接続される一側から前記第二表示部９１３に接続される他側に向かってグラデーション表示することにするためにも用いられる。
【００４９】
図１０を参照すると、１つの実施形態では端末９０’が提供され、これは前記端末９０に比べて、相違点は、前記端末９０’が角度センサー９５を備えることである。
【００５０】
前記角度センサー９５は、前記端末における前記第一表示部９１１又は前記第二表示部９１３に対応される一側に設置されて、前記第一表示部９１１と前記第二表示部９１３との間の夾角を検出するために用いられる。
【００５１】
前記プロセッサー９３は、前記夾角に基づいて、前記第一表示部９１１と前記第二表示部９１３との間の折り曲げ角度を計算するために用いられる。  
【００５２】
その中において、前記第一表示部９１１と前記第二表示部９１３との間の折り曲げ角度は、１８０度から前記第一表示部９１１と前記第二表示部９１３との間の夾角を引いたものと等しい。
【００５３】
前記端末９０、９０’の各々の部品の機能及び具体的な実現は、本発明の図１〜図６に示された方法の実施形態の関連する説明を参照することができるので、ここでは詳細な説明を省略することは理解されるべきである。
【００５４】
前記誤操作を防止するディスプレイインタフェース制御方法は、タッチディスプレイスクリーンの第一表示部と第二表示部との間の折り曲げ角度を検出し、前記曲げ角度が予め設定された角度よりも大きい場合、前記タッチディスプレイスクリーンを制御して、前記折り曲げ表示部及び前記第二表示部のタッチ機能をオフにすることにより、前記タッチディスプレイスクリーンが折り畳み状態にある場合、前記折り曲げ表示部と前記第二表示部がユーザの把持手と必然的に接触して招く誤操作を防止することができ、タッチディスプレイスクリーンが折り畳まれた状態で前記端末を正常に把持して操作することを確保して、ユーザ体験を向上するとともに、前記端末の消費電力を低減することができる。
【００５５】
上述したのは本発明の好ましい実施形態であり、本発明の範囲を限定するものではない。当業者であれば、上記した実施形態を実現するプロセスの全部又は一部を理解することができ、その要旨を逸脱しない範囲内で同等の変更が行われたとしても、本発明の範囲に属するものである。
【図１】
2019516187.tif 000003
【図２】
2019516187.tif 000004
【図３】
2019516187.tif 000005
【図４】
2019516187.tif 000006
【図５】
2019516187.tif 000007
【図６】
2019516187.tif 000008
【図７】
2019516187.tif 000009
【図８】
2019516187.tif 000010
【図９】
2019516187.tif 000011
【図１０】
2019516187.tif 000012
【手続補正書】
【提出日】平成30年10月23日(2018.10.23)
【手続補正１】
【補正対象書類名】明細書
【補正対象項目名】００１１
【補正方法】変更
【補正の内容】
【００１１】
その中において、前記角度検出ユニットは、
基準表示平面に対する前記第一表示部の第一角度を検出するために用いられる第一検出サブユニットと、
基準表示平面に対する前記第二表示部の第二角度を検出するために用いられる第二検出サブユニットと、
前記第一角度と前記第二角度に基づいて、前記第一表示部と前記第二表示部との間の折り曲げ角度を計算するために用いられる角度計算サブユニットと、
を備え、
前記基準表示平面は前記タッチディスプレイスクリーンが展開状態にある時、前記タッチディスプレイスクリーンの所在平面である。
【手続補正２】
【補正対象書類名】明細書
【補正対象項目名】００１２
【補正方法】変更
【補正の内容】
【００１２】
その中において、前記角度検出ユニットは、
前記第一表示部と前記第二表示部との間の夾角を検出するために用いられる夾角検出サブユニットと、
前記夾角に基づいて、前記第一表示部と前記第二表示部との間の折り曲げ角度を計算する角度計算サブユニットと、
を備える。
【手続補正３】
【補正対象書類名】明細書
【補正対象項目名】００３３
【補正方法】変更
【補正の内容】
【００３３】
１つの実施形態において、前記角度検出ユニット７１は、
基準表示平面に対する前記第一表示部の第一角度を検出するために用いられる第一検出サブユニット７１１と、
基準表示平面に対する前記第二表示部の第二角度を検出するために用いられる第二検出サブユニット７１３と、
前記第一角度と前記第二角度に基づいて、前記第一表示部と前記第二表示部との間の折り曲げ角度を計算するために用いられる角度計算サブユニット７１５と、
を備え、
前記基準表示平面は前記タッチディスプレイスクリーンが展開状態にある時、前記タッチディスプレイスクリーンの所在平面である。
【手続補正４】
【補正対象書類名】明細書
【補正対象項目名】００３６
【補正方法】変更
【補正の内容】
【００３６】
図８を参照すると、１つの実施形態では、誤操作を防止するディスプレイインタフェース制御装置７０’が提供され、これは図７に示された誤操作を防止するディスプレイインタフェース制御装置７０に比べて、唯一な相違点は、前記ディスプレイインタフェース制御装置７０’の角度検出ユニット７１’は、
前記第一表示部と前記第二表示部との間の夾角を検出するために用いられる夾角検出サブユニット７１２と、
前記夾角に基づいて、前記第一表示部と前記第二表示部との間の折り曲げ角度を計算するために用いられる角度計算サブユニット７１５と、
を備えることである。
【手続補正５】
【補正対象書類名】特許請求の範囲
【補正対象項目名】請求項８
【補正方法】変更
【補正の内容】
【請求項８】
前記角度検出ユニットは、
基準表示平面に対する前記第一表示部の第一角度を検出するために用いられる第一検出サブユニットと、
基準表示平面に対する前記第二表示部の第二角度を検出するために用いられる第二検出サブユニットと、
前記第一角度と前記第二角度に基づいて、前記第一表示部と前記第二表示部との間の折り曲げ角度を計算するために用いられる角度計算サブユニットと、
を備え、
前記基準表示平面は前記タッチディスプレイスクリーンが展開状態にある時、前記タッチディスプレイスクリーンの所在平面であることを特徴とする請求項７に記載の装置。
【手続補正６】
【補正対象書類名】特許請求の範囲
【補正対象項目名】請求項９
【補正方法】変更
【補正の内容】
【請求項９】
前記角度検出ユニットは、
前記第一表示部と前記第二表示部との間の夾角を検出するために用いられる夾角検出サブユニットと、
前記夾角に基づいて、前記第一表示部と前記第二表示部との間の折り曲げ角度を計算する角度計算サブユニットと、
を備えることを特徴とする請求項７に記載の装置。
【国際調査報告】
2019516187.tif 000013
2019516187.tif 000014
2019516187.tif 000015
2019516187.tif 000016
2019516187.tif 000017
2019516187.tif 000018